(57)【要約】【課題】  汎用化、小型化、安価な構成としたフリッカーレベル・ノイズレベル検出器を提供すること。【解決手段】  輝度評価値をフレーム毎に算出する輝度測光ロジック１３と、ＯＢ領域の映像信号のみを取り出す切出し手段７と、輝度測光手段１３からの信号または切出し手段７からの信号のいずれかを選択して出力する選択手段８と、入力された信号が輝度測光手段１３からの信号の場合はフリッカーレベル検出出力を、切出し手段７からの信号の場合にはノイズレベル検出出力を送出するレベル検出器９とにより構成される。【選択図】  図１
2005123776.tif 000002
【特許請求の範囲】
【請求項１】
撮像手段により撮像され出力された信号を、所定の利得に基づいて増幅した後、Ａ／Ｄ変換して出力されたディジタル映像信号から、前記撮像された撮像画像全体の輝度を示す輝度評価値をフレーム毎に算出する輝度測光手段と、
前記輝度測光手段よりの出力信号から交流信号を抽出するための交流信号抽出手段と、
前記交流信号の電力量を演算するための電力演算手段と、
前記電力演算手段より出力された信号を直流化するための信号直流化手段と、
を備えたことを特徴とするフリッカーレベル検出器。
【請求項２】
前記交流信号抽出手段は、ディジタルＨＰＦであり、前記電力演算手段は、ディジタルの絶対値回路であり、前記信号直流化手段は、ディジタルＬＰＦであることを特徴とする請求項１に記載のフリッカーレベル検出器。
【請求項３】
前記絶対値回路は、全波整流器であることを特徴とする請求項２に記載のフリッカーレベル検出器。
【請求項４】
撮像手段の受光面のうちの一部を遮光しておき、その遮光された領域の映像信号のみを取り出す切出し手段と、
前記切出し手段よりの出力信号から交流信号を抽出するための交流信号抽出手段と、
前記交流信号の電力量を演算するための電力演算手段と、
前記電力演算手段より出力された信号を直流化するための信号直流化手段と、
を備えたことを特徴とするノイズレベル検出器。
【請求項５】
前記交流信号抽出手段は、ディジタルＨＰＦであり、前記電力演算手段は、ディジタルの絶対値回路であり、前記信号直流化手段は、ディジタルＬＰＦであることを特徴とする請求項４に記載のノイズレベル検出器。
【請求項６】
前記絶対値回路は、全波整流器であることを特徴とする請求項５に記載のノイズレベル検出器。
【請求項７】
撮像手段により撮像され出力された信号を、所定の利得に基づいて増幅した後、Ａ／Ｄ変換して出力されたディジタル映像信号から、前記撮像された撮像画像全体の輝度を示す輝度評価値をフレーム毎に算出する輝度測光手段と、
前記撮像手段の受光面のうちの一部を遮光しておき、その遮光された領域の映像信号のみを取り出す切出し手段と、
前記輝度測光手段からの信号または前記切出し手段からの信号のいずれかを選択して出力する選択手段と、
前記選択手段よりの出力信号から交流信号を抽出するための交流信号抽出手段と、
前記交流信号の電力量を演算するための電力演算手段と、
前記電力演算手段より出力された信号を直流化するための信号直流化手段と、
を備えたことを特徴とするフリッカーレベル・ノイズレベル検出器。
【請求項８】
前記交流信号抽出手段は、ディジタルＨＰＦであり、前記電力演算手段は、ディジタルの絶対値回路であり、前記信号直流化手段は、ディジタルＬＰＦであることを特徴とする請求項７に記載のフリッカーレベル・ノイズレベル検出器。
【請求項９】
前記絶対値回路は、全波整流器であることを特徴とする請求項８に記載のフリッカーレベル・ノイズレベル検出器。
【発明の詳細な説明】
【技術分野】
【０００１】
本発明は、電子カメラ等の映像機器に用いるフリッカーレベル・ノイズレベル検出器に係り、特に、その構成を汎用化、小型化、安価としたフリッカーレベル・ノイズレベル検出器に関する。
【背景技術】
【０００２】
図８は、従来の電子カメラの構成を示したブロック図である。
図８における電子カメラは、レンズ１と、イメージセンサ２と、ＯＢクランプ回路３と、ＰＧＡ（ProgrammableGain Amp）４と、ＡＤＣ（Analog Digital Converter）５と、ＬＰＦ（Low Pass Filter）１２と、誤差検出器（Error Detect）１１と、ＤＡＣ（Digital Analog Converter）１０と、輝度測光ロジック１３と、輝度制御ロジック１４とにより構成される。
【０００３】
レンズ１、イメージセンサ２からの出力信号は、ＯＢクランプ回路３によって、クランプ制御系（黒レベル補正系）を構成するＤＡＣ１０から入力される補正値と加算される。そして、ＰＧＡ４が、設定されている所定の利得（Gain）に基づいてＯＢクランプ回路３の出力信号を増幅し、増幅された信号は、ＡＤＣ５によりデジタル信号に変換される。このデジタル化された信号は、出力信号となると共に、クランプ制御系にて黒レベルを補正するためにフィードバックされる。
【０００４】
フィードバックされたデジタル信号は、ＬＰＦ１２に供給され、ＬＰＦ１２は、遮光領域のセンサ出力に対応するデジタル信号が入力されている場合に、そのデジタル信号の平均化を行う。そして、誤差検出器１１が、ＬＰＦ１２から供給されたデジタル信号について、黒レベルの目標値（以下、「ＯＢ目標値」と言う。）との差を検出し、検出された差に応じて補正値を出力する。補正値はＤＡＣ１０に供給され、ＤＡＣ１０が補正値をアナログ化してＯＢクランプ回路３に出力する。
【０００５】
一方、ＯＢクランプ回路３からの出力信号は、ＰＧＡ４により所定の利得で増幅された後、ＡＤＣ（Analog to Digital Converter）５に供給される。このとき、ＡＤＣ５のダイナミックレンジを有効に活用するため、ＰＧＡ４では、ＡＤＣ５への入力がダイナミックレンジを超えない範囲で、より大きな入力レベルとなるように、ＯＢクランプ回路３からの出力信号が増幅される。なお、イメージセンサ２の電子シャッタ速度およびＰＧＡ４の利得（Gain）は、後述する輝度制御ロジック１４によって設定される。
【０００６】
次に、ＰＧＡ４の出力信号が、ＡＤＣ５によってデジタル信号に変換される。次いで、輝度測光ロジック１３によって、ＡＤＣ５の出力信号の１画面分について、各画素の輝度が積分され、積分結果が輝度評価値とされる。なお、輝度測光ロジック１３における輝度評価値を生成するロジックは、輝度測光ロジックと呼ばれる。
輝度測光ロジックとしては、１画面に含まれる画素の輝度を単純に積分する方法の他、画面の中央付近に被写体が存在することを想定し、中央付近の画素を重み付けして積分する方法や、画面を所定のパターンで分割して重み付けを行い、積分する方法等が用いられている。
【０００７】
次いで、輝度制御ロジック１４によって、上述の輝度評価値が処理される。即ち、輝度制御ロジック１４には、画像の輝度レベルの目標値である輝度目標値が、マイコン等によって設定されている。そして、輝度制御ロジック１４は、輝度目標値と輝度評価値とを比較し、その誤差を算出する。
輝度制御ロジック１４は、その誤差に基づいて、電子シャッタ速度を制御する。具体的には、輝度制御ロジック１４は、輝度評価値が輝度目標値より小さい場合には、画像が暗いと判定し、電子シャッタ速度を遅くする（露出時間を長くする）。逆に、輝度制御ロジック１４は、輝度評価値が輝度目標値より大きい場合には、画像が明るいと判定し、電子シャッタ速度を速くする（露出時間を短くする）。このように制御する結果、輝度評価値を輝度目標値に近づけることができる。
【０００８】
また、輝度制御ロジック１４は、電子シャッタ速度を最も遅くしても、輝度評価値が輝度目標値に達しない場合、ＰＧＡ４の利得を調整し、輝度評価値を輝度目標値に近づける制御を行う。
ここで、輝度制御ロジック１４によって、電子シャッタ速度を制御する場合、イメージセンサ２の構造との関係から、イメージセンサ２の水平同期信号の周期の整数倍とされる。例えば、水平同期信号の周期をＴｉｍｅｈ［sec］とすると、電子シャッタ速度は、N×Ｔｉｍｅｈ［sec］（N は自然数）の値とされる。
【０００９】
以上の如くに、従来の電子カメラには、露出制御を行うための露出制御系と、黒レベルを決めるためのクランプ制御系と呼ばれるロジックが組み込まれており、これらにより、撮像画質の向上が図られている。
さて、電子カメラで撮像される映像の画質の指標として、そのフレーム内でのノイズ感や、画像の輝度レベルがフレーム間で変動する現象がある。前者はざらつき感を与え、後者はいわゆるフリッカ現象を生じさせる現象である。これらは、双方とも画質の良し悪しを決定する重要なパラメータであり、このノイズレベル、フリッカーレベルを定量化することは、非常に重要であるといえる。
【００１０】
フリッカ現象については、例えば、特開平９−２４７５５０号公報に、その検出方法の一例が開示されている。このフリッカ検出方法は、蛍光管の周波数６０Ｈｚ、５０Ｈｚの変動を検出するものである。特開平９−２４７５５０号公報では、シャッタ速度１／６０秒で平均輝度レベルを３フィールド分検出し、そのパターンからフリッカの有り無しを判定している。これは、シャッタ速度固定の条件下で行っているものである。
【００１１】
しかしながら、このフリッカ現象は、露出制御に起因する場合もあり得る。すなわち、露出制御は、測光回路（輝度積算回路）で算出した受光領域の輝度積算結果から、露出制御の為の評価値を算出し、その値と、外部から設定した露出目標値とを比較し、両者がほぼ同じ値になるようにイメージセンサのシャッタ速度とアンプのゲインを制御する方法である。そのため、被写体の動きや雑音などで露出制御系が応答すると、シャッタ速度やアンプゲインが変化してしまい、その結果、画像の輝度レベルが変動する現象が発生する。これが「露出制御に起因するフリッカ現象」である。
【００１２】
この露出制御に起因するフリッカ量は、フリッカ現象がどの程度のフレームレートで発生するのかを予測できないものであり、よって、特開平９−２４７５５０号公報に記載の発明のように、固定フィールド数を検出すれば良いと言うわけには行かない。
次に、画像のノイズ量の物理的判断に関してであるが、単純に撮像画像に対して２次元フィルタをかけたのみでは、評価できない。これは、イメージフィルタ出力が撮像画像に依存するからである。フレーム間の差分から判断する方法もあるが、フレームバッファが必要なことや、カメラと被写体が動かないこと等の制約がある。
【特許文献１】特開平９−２４７５５０号公報
【発明の開示】
【発明が解決しようとする課題】
【００１３】
以上説明したように、従来、電子カメラ等の映像機器に用いるフリッカーレベルやノイズレベルを検出するための有効な手段が無かった。
そこで、本発明は、電子カメラ等の映像機器に用いる、汎用化、小型化、安価な構成としたフリッカーレベル・ノイズレベル検出器を提供することを目的とする。
【課題を解決するための手段】
【００１４】
以上の課題を解決するため、本発明のフリッカーレベル検出器は、撮像手段により撮像され出力された信号を、所定の利得に基づいて増幅した後、Ａ／Ｄ変換して出力されたディジタル映像信号から、前記撮像された撮像画像全体の輝度を示す輝度評価値をフレーム毎に算出する輝度測光手段（例えば、図１の輝度測光ロジック１３）と、前記輝度測光手段よりの出力信号から交流信号を抽出するための交流信号抽出手段と、前記交流信号の電力量を演算するための電力演算手段と、前記電力演算手段より出力された信号を直流化するための信号直流化手段とを備えたことを特徴とする。
【００１５】
上記構成によれば、ビデオカメラに元々備わっている輝度測光ロジック（例えば、図８の輝度測光ロジック１３）から出力される、フレーム単位の輝度評価値に基づいてフリッカーレベルの検出を行うようにしたので、汎用性のある低コストなフリッカーレベル検出器を実現できる。さらに、撮像画像（被写体）に依存することなく、フリッカーレベルを検出することができる。
【００１６】
また、本発明のフリッカーレベル検出器は、上記交流信号抽出手段が、ディジタルＨＰＦ（例えば、図２のDETECTOR-HPF１５）であり、前記電力演算手段が、ディジタルの絶対値回路（例えば、図２の全波整流器１６）であり、前記信号直流化手段が、ディジタルＬＰＦ（例えば、図２のDETECTOR-LPF１７）であるという構成としたことを特徴とする。
上記構成によれば、低コストでありながら、精度の高いフリッカーレベル検出器を実現できる。
【００１７】
また、本発明のフリッカーレベル検出器は、前記絶対値回路を、全波整流器としたことを特徴とする。
上記構成によれば、例えば、絶対値回路が半波整流器のものと比べて、さらに精度の高いフリッカーレベル検出器を実現できる。
また、本発明のノイズレベル検出器は、撮像手段の受光面のうちの一部を遮光しておき、その遮光された領域（ＯＢ領域等）の映像信号のみを取り出す切出し手段（例えば、図１の切出し手段７）と、前記切出し手段よりの出力信号から交流信号を抽出するための交流信号抽出手段と、前記交流信号の電力量を演算するための電力演算手段と、前記電力演算手段より出力された信号を直流化するための信号直流化手段とを備えたことを特徴とする。
【００１８】
上記構成によれば、ＯＢ領域信号からノイズレベルの検出を行うようにしたので、汎用性のある低コストなノイズレベル検出器を実現できる。さらに、撮像画像（被写体）に依存することなく、ノイズレベルを検出することができる。
また、本発明のノイズレベル検出器は、前記交流信号抽出手段が、ディジタルＨＰＦ（例えば、図２のDETECTOR-HPF１５）であり、前記電力演算手段が、ディジタルの絶対値回路（例えば、図２の全波整流器１６）であり、前記信号直流化手段が、ディジタルＬＰＦ（例えば、図２のDETECTOR-LPF１７）であることを特徴とする。
【００１９】
上記構成によれば、低コストでありながら、精度の高いノイズレベル検出器を実現できる。
また、本発明のノイズレベル検出器は、前記絶対値回路を、全波整流器としたことを特徴とする。
上記構成によれば、例えば、絶対値回路が半波整流器のものと比べて、さらに精度の高いノイズレベル検出器を実現できる。
【００２０】
また、本発明のフリッカーレベル・ノイズレベル検出器は、撮像手段により撮像され出力された信号を、所定の利得に基づいて増幅（例えば、図１のＰＧＡ４）した後、Ａ／Ｄ変換（例えば、図１のＡＤＣ５）して出力されたディジタル映像信号から、前記撮像された撮像画像全体の輝度を示す輝度評価値をフレーム毎に算出する輝度測光手段（例えば、図１の輝度測光ロジック１３）と、前記撮像手段の受光面のうちの一部を遮光しておき、その遮光された領域の映像信号のみを取り出す切出し手段（例えば、図１の切出し手段７）と、前記輝度測光手段からの信号または前記切出し手段からの信号のいずれかを選択して出力する選択手段（例えば、図１の選択手段８）と、前記選択手段よりの出力信号から交流信号を抽出するための交流信号抽出手段と、前記交流信号の電力量を演算するための電力演算手段と、前記電力演算手段より出力された信号を直流化するための信号直流化手段とを備えたことを特徴とする。
【００２１】
上記構成によれば、フリッカーレベル検出器及びノイズレベル検出器のレベル検出器（例えば、図１のレベル検出器９）を兼用して使用するようにしたので、装置（回路等）の小型化、低コスト化が実現できる。さらに、撮像画像（被写体）に依存することなく、フリッカーレベル及びノイズレベルを検出することができる。
また、本発明のフリッカーレベル・ノイズレベル検出器は、前記交流信号抽出手段が、ディジタルＨＰＦ（例えば、図２のDETECTOR-HPF１５）であり、前記電力演算手段が、ディジタルの絶対値回路（例えば、図２の全波整流器１６）であり、前記信号直流化手段が、ディジタルＬＰＦ（例えば、図２のDETECTOR-LPF１７）であることを特徴とする。
【００２２】
上記構成によれば、低コストでありながら、精度の高いフリッカーレベル・ノイズレベル検出器を実現できる。
また、本発明のフリッカーレベル・ノイズレベル検出器は、前記絶対値回路を、全波整流器としたことを特徴とする。
上記構成によれば、例えば、絶対値回路が半波整流器のものと比べて、さらに精度の高いフリッカーレベル・ノイズレベル検出器を実現できる。
【発明を実施するための最良の形態】
【００２３】
以下、図面を参照して本発明に係るフリッカーレベル・ノイズレベル検出器の実施の形態について説明を行う。なお、本実施の形態では、フリッカーレベル検出器とノイズレベル検出器が一体となっている場合を例に説明を行うが、それぞれが別個の検出器として構成されていても良いことは勿論である。
（発明の実施の形態）
まず、構成について説明する。
【００２４】
図１は、本発明のフリッカーレベル・ノイズレベル検出器の構成を示したブロック図である。図１において、フリッカーレベル・ノイズレベル検出器は、レンズ１と、イメージセンサ２と、ＯＢクランプ回路３と、ＰＧＡ（Programmable Gain Amp）４と、ＡＤＣ（Analog Digital Converter）５と、輝度測光ロジック１３と、切り出し手段７と、選択手段８と、レベル検出器９とにより構成される。
（フリッカーレベル検出器）
先ず、フリッカーレベル検出器についての説明を行う。
【００２５】
本発明（フリッカーレベル検出器）では、露出制御などの目的で、輝度測光ロジック１３により演算されるフレームの輝度評価値を利用する。この輝度評価値の変化量を、本発明のレベル検出器９にて計測する。
図１は、前述の通り、後述するノイズレベル検出器とフリッカーレベル検出器を兼用する構成となっている。フリッカーレベル検出器として動作する際には、図１中の選択手段８において、輝度測光ロジック１３からの出力（輝度評価値）を選択し、その出力がレベル検出器に入力されるようになっている。
【００２６】
図２は、本発明のフリッカーレベル・ノイズレベル検出器の原理図である。
回路は３つのブロックで構成される。その構成は、フレーム単位の輝度評価値の変化量（交流分）を、検出するためのディジタルのHPF（以降、DETECTOR_HPF）１５と、この交流信号の電力を、計算するためのディジタルの絶対値回路（以降、全波整流器）１６と、この信号を、直流（DC）化するためのディジタルのLPF（以降、DETECTOR_LPF）１７で構成される。なお、全波整流器１６は半波整流器であっても良い。
【００２７】
その動作は、輝度測光ロジック１３より供給された輝度評価値から、DETECTOR_HPF１５にて変化量を示す交流信号を取り出し、その出力を全波整流器１６に供給して、正の値のみの信号とし、その出力をDETECTOR_LPF１７に供給し、直流（DC）化して、これを検出結果とするものである。
次に、この検出結果の例について説明する。
【００２８】
本発明（フリッカーレベル検出器）を、露出制御有り・無しで使用すると、以下のような動作をする。
先ず、露出制御動作を行っている場合であるが、例えば、撮像画像にわずかな輝度変化等が発生した場合、誤差検出器１１より出力されるＯＢ目標値、及び輝度測光ロジック１３より出力される評価値に誤差が発生し、イメージセンサ２のシャッタ速度及びＰＧＡ４のゲインが変化する（図８参照）。このわずかな輝度変化に追従し、フリッカ現象が発生する。そして、この露出制御動作に起因するフリッカ現象により、フリッカーレベル検出出力に変化が生じ、これにより、本発明（レベル検出器９）にて、フリッカ現象が検出されることになる。
【００２９】
次に、露出制御動作無しの場合であるが、イメージセンサ２のシャッタ速度及びＰＧＡ４のゲインに変化が生じない（固定値のままの）場合、即ち、検出したフリッカ検出量が、被写体や光源の輝度変化（ゆらぎ）に起因する場合であって、例えば、シャッタ速度が1フレーム（15fpsと仮定）固定の場合には、光源の60Hz（60−15×4）に起因する輝度変化は０となり、ゆらぎは発生せず、50Hz光源では、５Hz程度（50−15×3）のゆらぎが発生することになる。この５Hzの変化（１秒間に５回の変化）がフリッカーレベル検出出力に生じ、本発明（フリッカーレベル検出器）にて、60、及び50Hz光源の違いが検出されることになる。
【００３０】
次に、本発明（フリッカーレベル検出器）の趣旨に準拠して設計を行った実施例を具体的に説明する。
本発明のフリッカーレベル検出器は、既述の通り３つのブロックにて構成されている（下表１）。
【００３１】
【表１】
2005123776.tif 000003
【００３２】
図３は、DETECTOR-HPFの具体的例（IIRフィルタ）を示した回路ブロック図であり、図４は、DETECTOR-LPFの具体的例（IIRフィルタ）を示した回路ブロック図である。
図３におけるDETECTOR-HPFは、図１における選択手段８より供給された信号と加算回路２０ｂより供給された信号を加算して出力する加算回路２０ａと、加算回路２０ａより供給された信号を１フレーム分遅延させて出力するレジスタ２１ａと、レジスタ２１ａより供給された信号を乗算係数−０．６２５にて処理して出力する乗算器２２ａと、レジスタ２１ａより供給された信号を１フレーム分遅延させて出力するレジスタ２１ｂと、レジスタ２１ｂより供給された信号を乗算係数−０．５にて処理して出力する乗算器２２ｂと、乗算器２２ａ及び２２ｂより供給された信号を加算して出力する加算回路２０ｂと、レジスタ２１ａより供給された信号を乗算係数−０．３７５にて処理して出力する乗算器２２ｃと、加算回路２０ａ及びレジスタ２１ｂより供給された信号を加算して出力する加算回路２０ｃと、加算回路２０ｃより供給された信号を乗算係数＋０．１８７５にて処理して出力する乗算器２２ｄと、乗算器２２ｄ及び乗算器２２ｃより供給された信号を加算して図２の全波整流器１６に出力する加算回路２０ｄとにより構成される。
【００３３】
次に動作についてであるが、この回路（DETECTOR-HPF）については公知の回路であるので、説明は省略する。
図４におけるDETECTOR-LPFは、図２における全波整流器１６より供給された信号と加算回路２３ｂより供給された信号を加算して出力する加算回路２３ａと、加算回路２３ａより供給された信号を１フレーム分遅延させて出力するレジスタ２４ａと、レジスタ２４ａより供給された信号を乗算係数＋０．１２５にて処理して出力する乗算器２５ａと、レジスタ２４ａ及び乗算器２５ａより供給された信号を加算して出力する加算回路２３ｅと、レジスタ２４ａより供給された信号を１フレーム分遅延させて出力するレジスタ２４ｂと、レジスタ２１ｂより供給された信号を乗算係数−０．４３７５にて処理して出力する乗算器２５ｂと、加算回路２３ｅ及び乗算器２５ｂより供給された信号を加算して出力する加算回路２３ｂと、レジスタ２４ａより供給された信号を乗算係数−０．２５にて処理して出力する乗算器２５ｃと、加算回路２３ａ及びレジスタ２４ｂより供給された信号を加算して出力する加算回路２３ｃと、加算回路２３ｃより供給された信号を乗算係数＋０．１２５にて処理して出力する乗算器２５ｄと、乗算器２５ｄ及び乗算器２５ｃより供給された信号を加算して出力する加算回路２３ｄとにより構成される。
【００３４】
同様に、動作については、この回路（DETECTOR-LPF）についても、公知の回路であるので、説明は省略する。
図５は、DETECTOR-HPFの理論的周波数特性を示した図であり、図６は、DETECTOR-LPFの理論的周波数特性を示した図である。各グラフの横軸は、電子カメラのサンプリング周波数をノーマライズしたものである。
【００３５】
次に、実際にフリッカ検出器を回路化したときの総合特性（フリッカ検出器の周波数特性の実測値）を示す。その為の入力試験信号として、周波数が０Hzからfs／２［Hz］（fsはサンプリング周波数で１５Hzとする）まで変化（挿引）する信号を用いる。また、入力周波数はfs／２０間隔で変化させ、その信号に対する応答をみて、フリッカ検出器の総合特性とする。下表に、検出器の総合特性を、周波数毎のゲイン（出力値／入力値）としてまとめる。
【００３６】
【表２】
2005123776.tif 000004
【００３７】
上表のように、周波数によりゲインが異なることから、この特性を利用してフリッカ検出が行える。すなわち、フリッカのない状態（0〜1Hz近辺）のゲインは0倍で、フリッカ現象が起こるとゲインが0倍以上になり、3.OHzを超えるとゲインが現われ始めて、4.5Hzを超えるとゲインが1倍以上になる。
例えば、このfs／2の周波数応答（ゲイン）は約1．1倍であり、フリッカ検出器への入力レベルが100（／1024）の場合、110／1024のレベルとして検出される。
【００３８】
また5OHz光源に起因する５Hzの輝度変化の場合、フリッカ検出器への入力レベルが100/1024の場合には、ゲインが約1．3倍であることから、出力は130/1024として検出される。このようにして、フリッカーレベル検出出力が得られる。
（ノイズレベル検出器）
次に、ノイズレベル検出器についての説明を行う。
【００３９】
図７は、イメージセンサの構造（遮光領域と受光領域）を示した図である。
電子カメラにおいては、撮像の明るさを決定するために、通常、黒レベルの補正が行われる。そのために、撮像素子が集合して構成されるイメージセンサにおいて、周辺部分に光が入らないように遮光しておく（図5参照）。そして、遮光されている領域（遮光エリア３０）のセンサ出力の平均を算出してこれを基準値とし、遮光されていない領域（受光エリア３１）のセンサ出力の値を、前記基準値と比較して、受光領域の明るさを判定している。
【００４０】
本発明（ノイズレベル検出器）では、この遮光領域からの映像信号のノイズレベルを判定する。
一般的にノイズはイメージセンサからのノイズ、ＰＧＡ４のノイズ、ＡＤＣ５の量子化雑音が主要因である。３者は全て、被写体画像に依存しない。そこで本発明（ノイズレベル検出器）は、画像に依存しない遮光エリア３０の映像信号に着目した。これは、遮光エリア３０にも通常センサ（フォトダイオード等）があり、その固有の雑音が混入しているためである。
【００４１】
図１をノイズレベル検出器として動作させるときは、図中の選択手段８において、ＯＢ領域信号を選択し、その出力がレベル検出器９に入力される。すなわち、イメージセンサ２からの映像信号のうち、遮光エリア３０の前記センサ出力に対応する信号を、切出し手段８で取り出す。取り出した遮光エリア信号を、既述のレベル検出器９に供給する。検出器の構成は、ＯＢ領域信号のノイズ（交流）成分を検出するためのディジタルHPF（DETECTOR-HPF）と、この交流信号の電力を計算するためのディジタル全波整流器と、この信号を直流（DC）化するためのディジタルLPF（DETECTOR-LPF）で、その動作は、既述のフリッカーレベル検出器と同様である。なお、ディジタルHPF、ディジタルLPFともに、構成要素である遅延のためのレジスタはピクセルレート（サンプリング周波数fs）で動作する。その周波数特性は、構成、定数を同じにすれば、同じ特性となる。
【００４２】
なお、本発明（ノイズレベル検出器）においては、ノイズレベル検出器９の周波数応答の総合特性（表２）において、サンプリング周波数（fs）はピクセルレートとなる。
ところで、フリッカーレベル検出器の説明で、図５、図６の如くの周波数特性を与える回路を示したが、本回路（同一の回路）にてノイズレベルの検出が可能である。
よって、本発明（フリッカーレベル・ノイズレベル検出器）によれば、ノイズレベル検出器とフリッカーレベル検出器とは、レベル検出器９の兼用が可能であり、フリッカーレート等、特殊な条件無しに、汎用性のあるフリッカーレベル・ノイズレベル検出器を実現できる。また、撮像画像（被写体）に依存することなく、フリッカーレベル及びノイズレベルを検出することができる。さらに、フリッカーレベル及びノイズレベルを同一のレベル検出器を用いて（兼用して）使用することができるので、小型化、低コスト化が可能となる。
【００４３】
以上、本発明の実施の形態として、電子カメラを例に説明したが、この発明が、テレビジョン、ＶＴＲ等の記録装置へも応用可能なことは勿論である。
【図面の簡単な説明】
【００４４】
【図１】本発明のフリッカーレベル・ノイズレベル検出器の構成を示したブロック図である。
【図２】本発明のフリッカーレベル・ノイズレベル検出器の原理図である。
【図３】DETECTOR-HPFの具体的例（IIRフィルタ）を示した回路ブロック図である。
【図４】DETECTOR-LPFの具体的例（IIRフィルタ）を示した回路ブロック図である。
【図５】DETECTOR-HPFの理論的周波数特性を示した図である。
【図６】DETECTOR-LPFの理論的周波数特性を示した図である。
【図７】イメージセンサの構造（遮光領域と受光領域）を示した図である。
【図８】従来の電子カメラの構成を示したブロック図である。
【符号の説明】
【００４５】
１  レンズ、２  イメージセンサ、３  ＯＢクランプ回路、  ４  ＰＧＡ（Programmable Gain Amp）、５  ＡＤＣ（Analog Digital Converter）、７  切出し手段、８  選択手段、９  レベル検出器、１０  ＤＡＣ（Digital Analog Converter）、１１  誤差検出器（ErrorDetect）、１２  ＬＰＦ（Low Pass Filter）１２、１３  輝度測光ロジック、１４  輝度制御ロジック、１５  DETECTOR-HPF、１６  全波整流器、１７  DETECTOR‐LPF、２０ａ，２０ｂ，２０ｃ，２０ｄ，２３ａ，２３ｂ，２３ｃ，２３ｄ，２３ｅ  加算回路、２１ａ，２１ｂ，２４ａ，２４ｂ  レジスタ（遅延回路）、２２ａ，２２ｂ，２２ｃ，２２ｄ，２５ａ，２５ｂ，２５ｃ，２５ｄ  乗算器、３０  遮光エリア、３１  受光エリア
【図１】
2005123776.tif 000005
【図２】
2005123776.tif 000006
【図３】
2005123776.tif 000007
【図４】
2005123776.tif 000008
【図５】
2005123776.tif 000009
【図６】
2005123776.tif 000010
【図７】
2005123776.tif 000011
【図８】
2005123776.tif 000012